(57)【要約】【課題】  本発明は、紙に付された内容を適切に保護し得る原本保証装置を提案する。【解決手段】  所定の内容が付された紙に有する固有の紋様を撮像する撮像手段と、撮像手段により撮像された紋様画像の特徴を抽出する第１の抽出手段と、紋様画像から、第１の抽出手段により抽出された第１の特徴よりも詳細に特徴を抽出する第２の抽出手段と、第１の特徴を上記紙に記憶する記憶手段と、第２の抽出手段により抽出された第２の特徴を所定の格納手段に登録する登録手段と設けるようにした。【選択図】        図２
2006340216.tif 000002
【特許請求の範囲】
【請求項１】
所定の内容が付された紙に有する固有の紋様を撮像する撮像手段と、
上記撮像手段により撮像された紋様画像の特徴を抽出する第１の抽出手段と、
上記紋様画像から、上記第１の抽出手段により抽出された第１の特徴よりも詳細に特徴を抽出する第２の抽出手段と、
上記第１の特徴を上記紙に記憶する記憶手段と、
上記第２の抽出手段により抽出された第２の特徴を所定の格納手段に登録する登録手段と
を具えることを特徴とする情報生成装置。
【請求項２】
上記第１の抽出手段は、
上記紙に付された上記内容に応じて上記紋様画像の特徴を抽出する抽出手法を変更する
ことを特徴とする請求項１に記載の情報生成装置。
【請求項３】
上記撮像手段により撮像された上記紋様画像を所定単位の領域に区割りする区割手段
を具え、
上記第１の抽出手段は、
上記区割手段により区割された各上記領域それぞれについて、当該領域の輪郭を矩形に近似させ、当該矩形の特徴を上記第１の特徴として抽出し、
上記第２の抽出手段は、
上記区割手段により区割された各上記領域それぞれについて、当該領域の輪郭上の点に基づいて上記輪郭に近似する曲線を生成するための複数の点を決定し、これらの点を上記第２の特徴として抽出する
ことを特徴とする請求項１に記載の情報生成装置。
【請求項４】
上記第２の抽出手段は、
上記紋様画像のうち、低域周波数成分でなる第２の低域紋様画像に基づいて上記第２の特徴を抽出し、
上記第１の抽出手段は、
上記紋様画像のうち、上記第２の低域紋様画像に比して低域周波数成分でなる第１の低域紋様画像に基づいて上記第１の特徴を抽出する
ことを特徴とする請求項１に記載の情報生成装置。
【請求項５】
所定の内容が付された紙に有する固有の紋様を撮像する第１のステップと、
上記第１のステップにおいて撮像した紋様画像の特徴を第１の特徴として抽出すると共に、上記紋様画像における上記第１の特徴よりも詳細な特徴を第２の特徴として抽出する第２のステップと、
上記第１の特徴を上記紙に記憶すると共に、上記第２の特徴を所定の格納手段に登録する第３のステップと
を具えることを特徴とする情報生成方法。
【請求項６】
所定の内容が付された紙に有する固有の紋様を撮像する第１の処理と、
上記第１のステップにおいて撮像した紋様画像の特徴を第１の特徴として抽出すると共に、上記紋様画像における上記第１の特徴よりも詳細な特徴を第２の特徴として抽出する第２の処理と、
上記第１の特徴を上記紙に記憶すると共に、上記第２の特徴を所定の格納手段に登録する第３の処理と
を実行させることを特徴とするプログラム。
【発明の詳細な説明】
【技術分野】
【０００１】
本発明は、情報生成装置及び方法並びにプログラムに関し、例えば所定の内容が付された紙が原本であることを保証する場合に適用して好適なものである。
【背景技術】
【０００２】
従来、紙は文書や写真等の各種内容の印画対象として用いられ、当該内容（以下、これを印画内容と呼ぶ）が印画された印画紙は、例えば貨幣等の商品交換媒体、証明書等の内容証明媒体又は個人の著作物等の情報記憶媒体などの各種媒体として機能するため高い価値を有していることが多い。
【０００３】
このため、印画紙に印画された印画内容の不正複製を防止する各種対処策が考えられており、当該対処策として、印画紙に有する紋様に基づいて紋様情報を取得して、取得された紋様情報を印画紙に記憶し、当該記憶された紋様情報に基づいて、印画紙の正当性を検証することによって、印画紙に印画された印画内容を保護する不正複製防止装置が本願特許出願人により提案されている。
【特許文献１】ＰＣＴ／ＪＰ２００５／００１１７６
【発明の開示】
【発明が解決しようとする課題】
【０００４】
ところで、かかる不正複製防止装置においては、印画紙に記憶された紋様情報に基づいて、印画紙の正当性を検証することによって、印画紙に印画された印画内容を保護するようになされているが、印画紙に記憶された紋様情報の他に、印画紙に記憶されない紋様情報によって印画紙が原本であることを保証することができれば、当該印画紙に印画された印画内容を一段と適切に保護することができるものと考えられる。
【０００５】
本発明は以上の点を考慮してなされたもので、紙に付された内容を適切に保護し得る情報生成装置及び方法並びにプログラムを提案しようとするものである。
【課題を解決するための手段】
【０００６】
かかる課題を解決するため本発明においては、所定の内容が付された紙に有する固有の紋様を撮像する撮像手段と、撮像手段により撮像された紋様画像の特徴を抽出する第１の抽出手段と、紋様画像から、第１の抽出手段により抽出された第１の特徴よりも詳細に特徴を抽出する第２の抽出手段と、第１の特徴を上記紙に記憶する記憶手段と、第２の抽出手段により抽出された第２の特徴を所定の格納手段に登録する登録手段と設けるようにした。
【０００７】
従って、簡易性又は迅速性が第１に優先されるような場合には、第１の特徴と照合することによって、紙が原本と異なっていることを簡易かつ迅速に検証することができ、公証性が第１に優先されるような場合には、第１の特徴に比して詳細な特徴量を表す第２の特徴を抽出するため、第２の特徴と照合することによって、紙が原本と異なっていることを精密かつ厳格に検証することができる。
【０００８】
また、所定の内容が付された紙に有する固有の紋様を撮像する第１のステップと、第１のステップにおいて撮像した紋様画像の特徴を第１の特徴として抽出すると共に、紋様画像における第１の特徴よりも詳細な特徴を第２の特徴として抽出する第２のステップと、第１の特徴を紙に記憶すると共に、第２の特徴を所定の格納手段に登録する第３のステップとを設けるようにした。
【０００９】
従って、簡易性又は迅速性が第１に優先されるような場合には、第１の特徴と照合することによって、紙が原本と異なっていることを簡易かつ迅速に検証することができ、公証性が第１に優先されるような場合には、第１の特徴に比して詳細な特徴量を表す第２の特徴を抽出するため、第２の特徴と照合することによって、紙が原本と異なっていることを精密かつ厳格に検証することができる。
【００１０】
さらに、プログラムによって、所定の内容が付された紙に有する固有の紋様を撮像する第１の処理と、第１のステップにおいて撮像した紋様画像の特徴を第１の特徴として抽出すると共に、紋様画像における第１の特徴よりも詳細な特徴を第２の特徴として抽出する第２の処理と、第１の特徴を紙に記憶すると共に、第２の特徴を所定の格納手段に登録する第３の処理とを実行させるようにした。
【００１１】
従って、簡易性又は迅速性が第１に優先されるような場合には、第１の特徴と照合することによって、紙が原本と異なっていることを簡易かつ迅速に検証することができ、公証性が第１に優先されるような場合には、第１の特徴に比して詳細な特徴量を表す第２の特徴を抽出するため、第２の特徴と照合することによって、紙が原本と異なっていることを精密かつ厳格に検証することができる。
【発明の効果】
【００１２】
本発明によれば、所定の内容が付された紙に有する固有の紋様を撮像し、第１のステップにおいて撮像した紋様画像の特徴を第１の特徴として抽出すると共に、紋様画像における第１の特徴よりも詳細な特徴を第２の特徴として抽出して、第１の特徴を紙に記憶すると共に、第２の特徴を所定の格納手段に登録するようにしたことにより、簡易性又は迅速性が第１に優先されるような場合には、第１の特徴と照合することによって、紙が原本と異なっていることを簡易かつ迅速に検証することができ、公証性が第１に優先されるような場合には、第１の特徴に比して詳細な特徴量を表す第２の特徴を抽出するため、第２の特徴と照合することによって、紙が原本と異なっていることを精密かつ厳格に検証することができ、かくして紙に付された内容を適切に保護し得る情報生成装置及び方法並びにプログラムを実現できる。
【発明を実施するための最良の形態】
【００１３】
以下図面について、本発明の一実施の形態を詳述する。
【００１４】
（１）原本保証手法
紙は、図１に示すように、繊維の複雑な絡み合いにより構成された固有の模様（以下、これを紋様と呼ぶ）を当該紙の表面ではなくその内部に有している。この紋様は、光にかざすと目視確認できることからも分かるように、例えば透過型スキャナ等により画像（以下、これを紋様画像と呼ぶ）として得ることができるものである。
【００１５】
そこで本実施の形態における原本保証手法では、このような紙から得られた紋様画像に基づく紋様の特徴量（以下、これを紋様特徴量と呼ぶ）を抽出し、当該紋様特徴量を用いて印画紙が原本であることを保証する。
【００１６】
この場合、本実施の形態における原本保証手法では、図２に示すように、オリジナルの印画紙（以下、これをオリジナル印画紙と呼ぶ）ＯＰのうち、予め指定された領域（以下、これを指定領域と呼ぶ）ＡＲに有する紋様の紋様画像ＭＧから、第１の紋様特徴量ＭＰ１を抽出する。
【００１７】
そして、本実施の形態における原本保証手法では、かかる第１の紋様特徴量ＭＰ１を２次元バーコード（以下、これを第１の紋様コードと呼ぶ）ＢＣ１としてオリジナル印画紙ＯＰにおける印画紙面の一部に印画し、かくして第１の紋様特徴量ＭＰ１をオリジナル印画紙ＯＰに記憶する。
【００１８】
また、本実施の形態における原本保証手法では、オリジナル印画紙ＯＰの指定領域ＡＲに有する紋様の紋様画像ＭＧから、上述の第１の紋様特徴量ＭＰ１に比して詳細な特徴量を表す第２の紋様特徴量ＭＰ２を抽出する。
【００１９】
そして、本実施の形態における原本保証手法では、かかる第２の紋様特徴量ＭＰ２を２次元バーコード（以下、これを第２の紋様コードと呼ぶ）ＢＣ２として、上述のように抽出された第１の紋様コードＢＣ１と対応付けて、紋様コード格納部に登録する。
【００２０】
一方、本実施の形態における原本保証手法では、簡易性又は迅速性が第１に優先されるような場合には、図３に示すように、第１の紋様コードＢＣ１が印画された印画紙（以下、これをコード付印画紙と呼ぶ）ＸＰｃが存在する場合、このコード付印画紙ＸＰｃの指定領域ＡＲに有する紋様画像（以下、これをコード付紋様画像と呼ぶ）ＭＧＸから、上述の第１の紋様特徴量ＭＰ１の抽出処理と同様の処理を施すことにより第１の照合用紋様特徴量ＭＰＣ１を抽出する。
【００２１】
そして、本実施の形態における原本保証手法では、かかる第１の照合用紋様特徴量ＭＰＣ１と、第１の紋様コードＢＣ１に基づいて復元した第１の復元紋様特徴量ＭＰＲ１とを照合し、コード付印画紙ＸＰｃの正当性及び有効性、すなわちコード付印画紙ＸＰｃが原本そのものであるか否かを検証するようになされている。
【００２２】
ここで、本実施の形態における原本保証手法では、この照合結果として所定の閾値以上の合致率が得られた場合には、コード付印画紙ＸＰｃが正当なオリジナル印画紙ＯＰそのものであると判断し、当該コード付印画紙ＸＰｃが原本であることを保証する。
【００２３】
これに対して、本実施の形態における原本保証手法では、照合結果として所定の値よりも低い合致率が得られた場合には、コード付印画紙ＸＰｃが正当なオリジナル印画紙ＯＰではなく複製されたものであると判断し、当該コード付印画紙ＸＰｃが原本であることを否定する。
【００２４】
他方、本実施の形態における原本保証手法では、公証性が第１に優先されるような場合には、図４に示すように、このコード付印画紙ＸＰｃの指定領域ＡＲに有するコード付紋様画像ＭＧＸから、上述の第２の紋様特徴量ＭＰ２の抽出処理と同様の処理を施すことにより第２の照合用紋様特徴量ＭＰＣ２を抽出する。
【００２５】
また、本実施の形態における原本保証手法では、紋様コード格納部において、第１の紋様コードＢＣ１を検索し、当該紋様コード格納部内に登録されている第１の紋様コードＢＣ１と対応付けられている第２の紋様コードＢＣ２を検出したときに、この第２の紋様コードＢＣ２に基づいて第２の復元紋様特徴量ＭＰＲ２を復元する。
【００２６】
そして、本実施の形態における原本保証手法では、第２の照合用紋様特徴量ＭＰＣ２と、第２の復元紋様特徴量ＭＰＲ２とを照合し、コード付印画紙ＸＰｃが原本そのものであるか否かを検証するようになされており、上述の第１の照合用紋様特徴量ＭＰＣ１と第１の復元紋様特徴量ＭＰＲ１とを照合する場合と同様に、照合結果として所定の閾値以上の合致率が得られた場合には、コード付印画紙ＸＰｃが原本であることを保証する一方、照合結果として所定の値よりも低い合致率が得られた場合には、コード付印画紙ＸＰｃが原本であることを否定する。
【００２７】
このようにして本実施の形態における原本保証手法では、図５に示すように、オリジナル印画紙ＯＰにおける印画内容がコード付印画紙ＸＰｃに複製（Copy）された場合であっても、当該コード付印画紙ＸＰｃにはオリジナル印画紙ＯＰの指定領域ＡＲに存在する同一の紋様画像は存在し得ないので、照合結果が一致することはなく、コード付印画紙ＸＰｃが複製であって原本ではないことを確実に検証し得るようになされている。
【００２８】
従って、本実施の形態における原本保証手法では、簡易性又は迅速性が第１に優先されるような場合には、第１の照合用紋様特徴量ＭＰＣ１と、第１の復元紋様特徴量ＭＰＲ１とを照合することによって、コード付印画紙ＸＰｃが原本と異なっていることを簡易かつ迅速に検証することができ、公証性が第１に優先されるような場合には、第１の紋様特徴量ＭＰ１に比して詳細な特徴量を表す第２の紋様特徴量ＭＰ２を抽出するため、第２の照合用紋様特徴量ＭＰＣ２と、第２の復元紋様特徴量ＭＰＲ２とを照合することによって、第２の照合用紋様特徴量ＭＰＣ２と、第２の復元紋様特徴量ＭＰＲ２とを精密かつ厳格に検証することができる。
【００２９】
（２）原本保証装置の構成
図６において、１は本実施の形態による原本保証装置を示し、この原本保証装置１全体の制御を司る制御部２に対してバス３を介してスキャナ部４、プリンタ部５及び紋様コード格納部６が接続されることにより構成されている。
【００３０】
この制御部２は、ＣＰＵ(Central Processing Unit)でなる中央処理ユニット、ＲＡＭ(Random Access Memory)でなるワークメモリ及びＲＯＭ(Read Only Memory)でなる情報記憶メモリを有している。
【００３１】
この情報記憶メモリには、紙の各種規格サイズそれぞれに対する指定領域ＡＲ（図２）の位置情報（以下、これを領域位置情報と呼ぶ）、２次元バーコード用の文字列情報（以下、これをコード文字列情報と呼ぶ）等の各種情報及びプログラムが記憶されている。従って制御部２は、ワークメモリにロードしたプログラムに従って、情報記憶メモリに記憶された各種情報を適宜用いて各種処理を実行するようになされている。
【００３２】
実際上、制御部２は、第１の紋様コードＢＣ１（図２）を印画させると共に、第２の紋様コードＢＣ２（図２）を登録させる所定の指令が操作部（図示せず）から与えられると、紋様画像読取コマンドをスキャナ部４に送出する。
【００３３】
そして制御部２は、このコマンドの応答結果として、スキャナ部４からオリジナル印画紙ＯＰ（図２）における紋様画像ＭＧ（図２）のデータ（以下、これを紋様画像データと呼ぶ）Ｄ１が与えられた場合、第１のモード（以下、このモードをコード印画登録モードと呼ぶ）に遷移する。
【００３４】
この場合、制御部２は、紋様画像データＤ１における紋様画像ＭＧから、第１の紋様特徴量ＭＰ１を抽出すると共に、当該第１の紋様特徴量ＭＰ１に比して詳細な特徴量を表す第２の紋様特徴量ＭＰ２を抽出する。
【００３５】
そして、制御部２は、抽出された第１の紋様特徴量ＭＰ１を２次元バーコード用の文字列データ（以下、これを第１の紋様コードデータと呼ぶ）Ｄ２としてプリンタ部５に送出する。この結果、この第１の紋様コードデータＤ２は、プリンタ部５において、第１の紋様コードＢＣ１（図２（Ａ））として関連対象オリジナル印画紙ＯＰＲに印画される。
【００３６】
また、制御部２は、抽出された第２の紋様特徴量ＭＰ２を２次元バーコード用の文字列データ（以下、これを第２の紋様コードデータと呼ぶ）Ｄ３として、上述のように抽出された第１の紋様コードデータＤ２と対応付けて、これら第１の紋様コードデータＤ２及び第２の紋様コードデータＤ３を紋様コード格納部６に送出する。この結果、この第１の紋様コードデータＤ２及び第２の紋様コードデータＤ３は、第１の紋様コードＢＣ１及び第２の紋様コードＢＣ２として対応付けられた状態で、紋様コードを格納するための紋様コード格納部６に登録される。
【００３７】
一方、制御部２は、コード付印画紙ＸＰｃ（図３）が原本であるか否かを簡易的又は迅速に検証するための所定の指令が操作部（図示せず）から与えられると、紋様画像読取コマンド及びコード読取コマンドをスキャナ部４に送出する。
【００３８】
そして、制御部２は、これらコマンドの応答結果として、スキャナ部４からコード付印画紙ＸＰｃにおけるコード付紋様画像ＭＧＸ（図３）のデータ（以下、これをコード付紋様画像データと呼ぶ）Ｄ４と、当該コード付印画紙ＸＰｃに印画された第１の紋様コードＢＣ１（図３）の読取結果である第１の紋様コードデータＤ１と、スキャナ部４からが与えられた場合、第２のモード（以下、このモードを第１の検証モードと呼ぶ）に遷移する。
【００３９】
この場合、制御部２は、コード付紋様画像データＤ４におけるコード付紋様画像ＭＧＸから、上述の第１の紋様特徴量ＭＰ１の抽出処理と同様の処理を施すことにより第１の照合用紋様特徴量ＭＰＣ１を抽出する。
【００４０】
そして、制御部２は、この第１の照合用紋様特徴量ＭＰＣ１と、第１の紋様コードデータＤ１に基づく第１の復元紋様特徴量ＭＧＲ１とを照合し、照合の結果、各々の特徴量が所定の閾値を越えて一致するか否かを判定し、両者が一致すると認識できるときに限り、コード付印画紙ＸＰｃがオリジナル印画紙ＯＰそのものであること、すなわち原本であることを立証するようになされている。
【００４１】
他方、制御部２は、コード付印画紙ＸＰｃ（図３）が原本であるか否かを公証として検証するための所定の指令が操作部（図示せず）から与えられると、紋様画像読取コマンド及びコード読取コマンドをスキャナ部４に送出する。
【００４２】
そして、制御部２は、これらコマンドの応答結果として、スキャナ部４からコード付印画紙ＸＰｃにおけるコード付紋様画像データＤ４と、当該コード付印画紙ＸＰｃに印画された第１の紋様コードＢＣ１（図３）の読取結果である第１の紋様コードデータＤ１とが与えられた場合、第３のモード（以下、このモードを第２の検証モードと呼ぶ）に遷移する。
【００４３】
この場合、制御部２は、コード付紋様画像データＤ４におけるコード付紋様画像ＭＧＸから、上述の第２の紋様特徴量ＭＰ２の抽出処理と同様の処理を施すことにより第２の照合用紋様特徴量ＭＰＣ２を抽出する。
【００４４】
また、制御部２は、供給された第１の紋様コードデータＤ１における第１の紋様コードＢＣ１を紋様コード格納部６内において検索することにより、当該紋様コード格納部内に登録されている第１の紋様コードＢＣ１と対応付けられている第２の紋様コードＢＣ２を検出したときに、この第２の紋様コードＢＣ２を第２の紋様コードデータＤ３として、紋様コード格納部６から、当該制御部２に読み出させる。
【００４５】
そして、制御部２は、この第２の照合用紋様特徴量ＭＰＣ２と、第１の紋様コードデータＤ１に基づく第１の復元紋様特徴量ＭＧＲ１とを照合し、照合の結果、各々の特徴量が所定の閾値を越えて一致するか否かを判定し、両者が一致すると認識できるときに限り、コード付印画紙ＸＰｃが原本であることを立証するようになされている。
【００４６】
このようにして制御部２は、コード印画登録モード時には、オリジナル印画紙ＯＰにおける紋様画像ＭＧに基づく第１の紋様特徴量ＭＰ１を第１の紋様コードＢＣ１としてオリジナル印画紙ＯＰに印画させると共に、紋様画像ＭＧに基づく第２の紋様特徴量ＭＰ２を第２の紋様コードＢＣ２として、第１の紋様コードＢＣ１と対応付けた状態で紋様コード格納部６に登録させ、第１の検証モード時には、印画させた第１の紋様コードＢＣ１に基づく第１の復元紋様特徴量ＭＧＲ１と、第１の紋様特徴量ＭＰ１とが一致する場合についてのみ、原本であることを保証し、第２の検証モード時には、登録させた第２の紋様コードＢＣ２に基づく第２の復元紋様特徴量ＭＧＲ２と、第２の紋様特徴量ＭＰ２とが一致する場合についてのみ、原本であることを保証するようになされている。
【００４７】
一方、スキャナ部４は、透過モード、反射モード及びコード読取モードを有し、制御部２から紋様画像読取コマンドが与えられた場合には透過モード、また所定の複製許可コマンドが与えられた場合には反射モード、さらにコード読取コマンドが与えられた場合にはコード読取モードをそれぞれ実行するようになされている。
【００４８】
実際上、スキャナ部４は、透過モード時には、原稿台に載置されたオリジナル印画紙ＯＰ又はコード付印画紙ＸＰｃに対して光を照射し、これらを透過することにより得られる紋様投影光を光学系を介して固体撮像素子に結像する。そしてスキャナ部４は、この固体撮像素子から得られる紋様画像信号に対してＡ／Ｄ(Analog/Digital)変換処理等を施し、この結果得られた紋様画像データＤ１、Ｄ２又はコード付紋様画像データＤ４を制御部２に送出する。
【００４９】
またスキャナ部４は、反射モード時には、例えば原稿台に載置されたオリジナル印画紙ＯＰに対して光を照射し、これを反射することにより得られる印画内容反射光を光学系を介して固体撮像素子に結像する。そしてスキャナ部４は、この固体撮像素子から得られる印画内容画像信号に対してＡ／Ｄ変換処理等を施し、この結果得られた印画内容画像データＤ５をプリンタ部５に送出する。
【００５０】
さらにスキャナ部４は、コード読取モード時には、当該スキャナ部４に接続された２次元コードリーダ４ａを起動し、当該２次元コードリーダ４ａにより読み取られることにより供給される第１の紋様コードデータＤ２を制御部２に送出する。
【００５１】
このようにしてスキャナ部４は、制御部２から与えられる各種コマンドに応じたモードを実行することにより、紋様画像、紋様コード、又は印画内容を読み取ることができるようになされている。
【００５２】
他方、プリンタ部５は、２次元コード用のフォント情報（以下、これをコードフォント情報と呼ぶ）及び紙の各種規格サイズそれぞれに対する第１の紋様コードＢＣ１の位置情報（以下、これをコード位置情報と呼ぶ）等の各種情報を内部メモリに記憶しており、これら情報を適宜用いて印画処理を実行する。
【００５３】
この場合、プリンタ部５は、制御部２から第１の紋様コードデータＤ２が与えられると、この第１の紋様コードデータＤ２に対してパルス幅変調処理等を施し、この結果得られた印画データを印画ヘッド部に送出する。この結果、この印画データ、コードフォント情報及びコード位置情報に基づく印画ヘッド部の駆動により、このとき印画紙台にセットされた印画紙（オリジナル印画紙ＯＰ）の所定位置に第１の紋様コードＢＣ１が印画されることとなる。
【００５４】
またプリンタ部５は、スキャナ部４から印画内容画像データＤ５が与えられると、この印画内容画像データＤ５に対してパルス幅変調処理等を施し、この結果得られた印画データを印画ヘッド部に送出する。この結果、この印画データに基づく印画ヘッド部の駆動により、このとき印画紙台にセットされた用紙にオリジナル印画紙ＯＰの印画内容が複製されることとなる。
【００５５】
このようにしてプリンタ部５は、制御部２から供給される第１の紋様コードデータＤ２に基づく第１の紋様コードＢＣ１を印画するとともに、印画内容画像データＤ５に基づく印画内容を複製することができるようになされている。
【００５６】
（３）制御部での処理
（３−１）第１の実施の形態における制御部での処理
ここで、かかる第１の実施の形態における制御部２におけるコード印画登録モード、第１の検証モード及び第２の検証モード時の処理内容を機能的に分類すると、図７に示すように、低域周波数成分抽出部１０と、画像分離部１１と、領域区割部１２と、紋様特徴量抽出部１３と、２次元コード変換部１４と、照合部１５とに分けることができる。
【００５７】
この場合、制御部２は、コード印画登録モード時には、スキャナ部４から与えられる紋様画像データＤ１に対して、低域周波数成分抽出部１０、画像分離部１１、領域区割部１２、紋様特徴量抽出部１３及び２次元コード変換部１４を順次介して各種処理を施し、この結果得られる第１の紋様コードデータＤ２をプリンタ部５に送出すると共に、第１の紋様コードデータＤ２及び第２の紋様コードデータＤ３を対応付けた状態で紋様コード格納部６に送出する。
【００５８】
また制御部２は、第１の検証モード時には、スキャナ部４から与えられるコード付紋様画像データＤ４に対して、低域周波数成分抽出部１０、画像分離部１１、領域区割部１２及び紋様特徴量抽出部１３を順次介して各種処理を施した後、この処理結果と、スキャナ部４から与えられる第１の紋様コードデータＤ２とに基づく照合処理を照合部１５において行うようになされている。
【００５９】
さらに制御部２は、第２の検証モード時には、スキャナ部４から与えられるコード付紋様画像データＤ４に対して、低域周波数成分抽出部１０、画像分離部１１及び領域区割部１２を順次介して各種処理を施した後、この処理結果と、紋様コード格納部６から与えられる第２の紋様コードデータＤ３とに基づく照合処理を照合部１５において行うようになされている。
【００６０】
以下、低域周波数成分抽出部１０による低域周波数成分抽出処理、画像分離部１１による画像分離処理、領域区割部１２による画像区割処理、紋様パターン抽出部１３による紋様パターン抽出処理、２次元コード変換部１４による２次元コード変換処理及び照合部１５による照合処理を詳細に説明する。
【００６１】
（３−１−１）低域周波数成分抽出処理
低域周波数成分抽出部１０は、コード印画登録モード時には、図８に示すように、オリジナル印画紙ＯＰ（図２）における紋様画像ＭＧ（図８（Ａ））から、低域周波数成分の紋様画像（以下、これを低域紋様画像と呼ぶ）ＭＧＬ（図８（Ｂ））を抽出するようになされている。
【００６２】
具体的に低域周波数成分抽出部１０は、内部メモリに記憶された領域位置情報に基づいて、スキャナ部４から与えられる紋様画像データＤ１における紋様画像ＭＧに対してフーリエ変換処理を施すことにより周波数成分のデータを生成する。
【００６３】
続いて低域周波数成分抽出部１０は、この周波数成分のデータに対して所定閾値以上の高周波成分のデータ値を「０」とした後に逆フーリエ変換処理を施すことにより、低域紋様画像ＭＧＬのデータ（以下、これを低域紋様画像データと呼ぶ）Ｄ１０（図７）を生成し、これを画像分離部１１に送出するようになされている。
【００６４】
このようにして低域周波数成分抽出部１０は、低域紋様画像ＭＧＬを抽出することにより、例えばスキャナ部４での固体撮像素子のノイズ等、一般に画像の高周波成分に含まれる各種ノイズ成分を除去することができるようになされている。
【００６５】
この結果、低域周波数成分抽出部１０は、各種ノイズ成分に起因する紋様特徴量抽出部１３での紋様特徴量の抽出精度の低下を回避させることができるようになり、ひいては照合部１５での照合処理の照合結果における信頼性を向上させることができるようになされている。
【００６６】
一方、低域周波数成分抽出部１０は、第１の検証モード及び第２の検証モード時には、コード付印画紙ＸＰｃ（図３、図４）における紋様画像ＭＧＸ（図８（Ａ））から、上述の紋様画像ＭＧと同様の抽出処理を施すことにより、低域周波数成分の紋様画像（以下、これをコード付低域紋様画像と呼ぶ）ＭＧＸＬ（図８（Ｂ））のデータ（以下、これをコード付低域紋様画像データと呼ぶ）Ｄ１１（図７）を生成し、これを画像分離部１１に送出するようになされている。
【００６７】
（３−１−２）画像分離処理
画像分離部１１は、図９に示すように、低域周波数成分抽出部１０において抽出された低域紋様画像ＭＧＬ又はコード付低域紋様画像ＭＧＸＬ（図９（Ａ））を、白成分紋様画像ＷＩＭ（図９（Ｂ））と、黒成分紋様画像ＢＩＭ（図９（Ｃ））とに分離する。
【００６８】
具体的に画像分離部１１は、低域周波数成分抽出部１０から供給される低域紋様画像データＤ１０の低域紋様画像ＭＧＬ又はコード付低域紋様画像データＤ１１のコード付低域紋様画像ＭＧＸＬにおける輝度値を画素ごとに順次検出し、当該検出結果が所定の低輝度閾値（以下、これを白閾値と呼ぶ）以下の輝度値でなる画素（以下、これを白画素と呼ぶ）以外の画素を最も高い輝度レベルに変換するようにして低輝度成分の画像（以下、これを白成分紋様画像と呼ぶ）ＭＧＷ（図９（Ｂ））を抽出した後、この白成分紋様画像ＭＧＷをデータ（以下、これを白成分紋様画像データと呼ぶ）Ｄ１２として領域区割部１２に送出する。
【００６９】
また画像分離部１１は、低域紋様画像ＭＧＬ又はコード付低域紋様画像ＭＧＸＬにおける各画素の輝度値の検出結果が所定の高輝度閾値（以下、これを黒閾値と呼ぶ）以上となる輝度値を有する画素（以下、これを黒画素と呼ぶ）以外の画素を最も低い輝度レベルに変換するようにして高輝度成分の画像（以下、これを黒成分紋様画像と呼ぶ）ＭＧＢ（図９（Ｃ））を抽出し、この黒成分紋様画像ＭＧＢをデータ（以下、これを黒成分紋様画像データと呼ぶ）Ｄ１３として領域区割部１２に送出する。
【００７０】
このようにして画像分離部１１は、白成分紋様画像ＭＧＷと、黒成分紋様画像ＭＧＢとに分離することにより、紋様の複雑さの程度を低減することができるようになされている。
【００７１】
この結果、画像分離部１１は、複雑さの程度が大きいことに起因する紋様特徴量抽出部１３での紋様特徴量の抽出精度の低下を回避させることができるようになり、ひいては照合部１５での照合処理の照合結果における信頼性を向上させることができるようになされている。
【００７２】
（３−１−３）領域区割処理
領域区割部１２は、図９に示したように、白成分紋様画像ＭＧＷ（図９（Ｂ））に有する紋様を、隣接する白画素の集合を単位とする領域（以下、これを白ダマと呼ぶ）に区割りすると共に、黒成分紋様画像ＭＧＢ（図９（Ｃ））に有する紋様を、隣接する黒画素の集合を単位とする領域（以下、これを黒ダマと呼ぶ）に区割りする。
【００７３】
具体的に領域区割部１２は、画像分離部１１から供給される白成分紋様画像データＤ１２の白成分紋様画像ＭＧＷから全ての白画素を検出した後、図１０（Ａ）に示すように、任意の注目画素ＡＰに隣接する上下左右方向の４画素及び斜め方向の４画素の計８画素（以下、これを８近傍画素と呼ぶ）の白画素を順次連結していく。
【００７４】
そして領域区割部１２は、例えば図１０（Ｂ）に示すように、８近傍画素に白画素が検出されなくなった時点で、これまで連結した白画素群に識別情報を対応付けて白ダマＷＤ１、ＷＤ２……、及びＷＤｎを形成する。
【００７５】
また領域区割部１２は、画像分離部１１から供給される黒成分紋様画像データＤ１３の黒成分紋様画像ＭＧＢについても白成分紋様画像ＭＧＷと同様にして複数の黒ダマＢＤ（ＢＤ１〜ＢＤｎ）を形成するようになされている。
【００７６】
このようにして領域区割部１２は、白成分紋様画像ＭＧＷに有する紋様を複数の白ダマＷＤ（ＷＤ１〜ＷＤｎ）に区割りすると共に、黒成分紋様画像ＭＧＢに有する紋様を複数の黒ダマＢＤ（ＢＤ１〜ＢＤｎ）に区割りすることにより、当該紋様を細分化することができるようになされている。
【００７７】
この結果、領域区割部１２は、白成分紋様画像ＭＧＷ及び黒成分紋様画像ＭＧＢに有する紋様を細かく分析することができるようになるため、紋様特徴量抽出部１３での紋様特徴量の抽出精度を向上させることができるようになり、ひいては照合部１５での照合処理の照合結果における信頼性を向上させることができるようになされている。
【００７８】
かかる構成に加えて領域区割部１２は、例えば図１１（Ａ）に示すように、白成分紋様画像ＭＧＷに有する紋様を複数の白ダマＷＤ（ＷＤ１〜ＷＤｎ）に区割りした後、図１１（Ｂ）に示すように、当該各白ダマＷＤから予め規定された連結数以下となるダマ（以下、これを小ダマと呼ぶ）を除去するようになされており、当該除去した結果得られた白ダマＷＤ（ＷＤ１〜ＷＤｎ）をデータ（以下、これを白ダマデータと呼ぶ）Ｄ１４（図７）として紋様特徴量抽出部１３に送出する。
【００７９】
また領域区割部１２は、黒ダマＢＤ（ＢＤ１〜ＢＤｎ）についても白ダマＷＤ（ＷＤ１〜ＷＤｎと同様にして小ダマを除去し、当該除去した結果得られた黒ダマＢＤ（ＢＤ１〜ＢＤｎ）をデータ（以下、これを黒ダマデータと呼ぶ）Ｄ１５（図７）として紋様特徴量抽出部１３に送出するようになされている。
【００８０】
これにより領域区割部１２は、白成分紋様画像ＭＧＷ及び黒成分紋様画像ＭＧＢに有する紋様の特徴部分のみを白ダマＷＤ及び黒ダマＢＤとして抽出することができるため、紋様特徴量抽出部１３での紋様特徴量の抽出精度をより向上させることができるようになされている。
【００８１】
さらに領域区割部１２は、第２の検証モード時には、白ダマＷＤ（ＷＤ１〜ＷＤｎ及び黒ダマＢＤ（ＢＤ１〜ＢＤｎ）を第２の照合用紋様特徴量ＭＰＣ２とし、白ダマデータＤ１４及び黒ダマデータＤ１５を第２の照合用紋様特徴量ＭＰＣ２のデータ（以下、これを第２の照合紋様特徴量データと呼ぶ）Ｄ１６として照合部１５に送出するようになされている。
【００８２】
（３−１−４）紋様特徴量抽出処理
紋様特徴量抽出部１３は、コード印画登録モード時には、各白ダマＷＤ（ＷＤ１〜ＷＤｎ）及び各黒ダマＢＤ（ＢＤ１〜ＢＤｎ）における形状の特徴量をそれぞれ算出するようにして、第１の紋様特徴量ＭＰ１及び第２の紋様特徴量ＭＰ２を抽出する。
【００８３】
この場合、紋様特徴量抽出部１３においては、白ダマＷＤ及び黒ダマＢＤそれぞれの特徴量を簡易かつ迅速に抽出するために、当該白ダマＷＤ及び黒ダマＢＤそれぞれを矩形に近似させる。すなわち紋様特徴量抽出部１３は、図１２に示すように、１つ１つのダマ（白ダマＷＤ又は黒ダマＢＤ）における中心座標（ｘｃ,ｙｃ）、長辺ｌ、短辺ｗ及び長辺ｌと水平軸とのなす角度θ（以下、これを矩形情報値と呼ぶ）を特徴量として算出するようになされている。
【００８４】
具体的に紋様特徴量抽出部１３は、領域区割部１２から供給される白ダマデータＤ１４の白ダマＷＤ（ＷＤ１〜ＷＤｎ）ごとに個々の特徴量を算出するようになされており、当該白ダマＷＤを構成する画素の輝度値をＩ（ｘ,ｙ）とすると、次式
【００８５】
【数１】
2006340216.tif 000003
【００８６】
によって定義される画像モーメントＭｐｑに従って、１次画像モーメントＭ００、２次画像モーメントＭ１０、Ｍ０１及び３次画像モーメントＭ２０、Ｍ０２、Ｍ１１を算出する。
【００８７】
そして紋様特徴量抽出部１３は、これら１次、２次及び３次画像モーメントＭ００、Ｍ１０、Ｍ０１、Ｍ２０、Ｍ０２、Ｍ１１を用いて、中心座標（ｘｃ,ｙｃ）を、次式
【００８８】
【数２】
2006340216.tif 000004
【００８９】
に従って算出し、また長辺ｌ及び短辺ｗを、次式
【００９０】
【数３】
2006340216.tif 000005
【００９１】
に従って算出し、さらに角度θを、次式
【００９２】
【数４】
2006340216.tif 000006
【００９３】
に従って算出する。
【００９４】
このようにして紋様特徴量抽出部１３は、白ダマＷＤ（ＷＤ１〜ＷＤｎ）ごとの特徴量（矩形情報値）をそれぞれ算出する。
【００９５】
また紋様特徴量抽出部１３は、領域区割部１２から供給される黒ダマデータＤ１５の黒ダマＢＤ（ＢＤ１〜ＢＤｎ）についても白ダマＷＤ（ＷＤ１〜ＷＤｎ）と同様に、上述の（１）式〜（４）式を用いて当該黒ダマＢＤごとの特徴量（矩形情報値）をそれぞれ算出するようになされている。
【００９６】
かくして算出された白ダマＷＤ（ＷＤ１〜ＷＤｎ）及び黒ダマＢＤ（ＢＤ１〜ＢＤｎ）それぞれの特徴量（矩形情報値）は、紋様画像ＭＧ（図８（Ａ））に有する紋様の特徴的な形状を表した値であるため、当該紋様画像ＭＧに含まれている第１の紋様特徴量ＭＰ１の抽出結果そのものを意味することとなる。
【００９７】
そして、紋様特徴量抽出部１３は、かかる第１の紋様特徴量ＭＰ１のデータ（以下、これを第１の紋様特徴量データと呼ぶ）Ｄ１７（図７）として２次元コード変換部１４に送出するようになされている。
【００９８】
このようにして紋様特徴量抽出部１３は、白ダマＷＤ及び黒ダマＢＤそれぞれの特徴量を簡易かつ迅速に抽出するために、当該白ダマＷＤ及び黒ダマＢＤそれぞれを矩形に近似させる手法（以下、これを第１の抽出手法と呼ぶ）に基づいて第１の紋様特徴量ＭＰ１を抽出するようになされている。
【００９９】
また、紋様特徴量抽出部１３においては、白ダマＷＤ及び黒ダマＢＤそれぞれの特徴量を精密かつ厳格に抽出するために、各白ダマＷＤ（ＷＤ１〜ＷＤｎ）及び各黒ダマＢＤ（ＢＤ１〜ＢＤｎ）それぞれについて、当該ダマの外周上における点（以下、これをダマ外周点と呼ぶ）に基づいてベジエ曲線(bezier curve)を生成するための点（以下、これを制御点と呼ぶ）列を決定し、これら制御点列を特徴量として抽出する。
【０１００】
具体的に紋様特徴量抽出部１３は、領域区割部１２から供給される白ダマデータＤ１４の白ダマＷＤ（ＷＤ１〜ＷＤｎ）及び黒ダマデータＤ１５の黒ダマＢＤ（ＢＤ１〜ＢＤｎ）における面積（以下、これをダマ総合面積と呼ぶ）を画素数に基づいて算出し、予め内部メモリに保持されたダマ総合面積（画素数）と正方格子の格子サイズ及びベジエ曲線の次数との対応テーブルを参照して、このとき検出した画素数に対応する格子サイズ及びベジエ曲線の次数に切り替える。
【０１０１】
そして紋様特徴量抽出部１３は、このとき切り替えた格子サイズの正方格子で白ダマデータＤ１４の指定領域ＡＲ及び黒ダマデータＤ１５の指定領域ＡＲをそれぞれ区切ると共に、このとき切り替えたｎ次のベジエ曲線を生成するための「ｎ＋１」個の制御点からなる制御点列を、当該指定領域ＡＲ内に有する白ダマＷＤ及び黒ダマＢＤそれぞれについて決定する。
【０１０２】
ここで、かかる制御点列の決定手法を具体的に説明するが、説明の便宜上、ここでは白ダマＷＤ１について、３次のベジエ曲線を生成するための４個の制御点からなる制御点列を決定する場合を図１３を用いて説明する。
【０１０３】
この図１３において、紋様特徴量抽出部１３は、正方格子と、白ダマＷＤ１の外周との交点Ｐ１〜Ｐ１２を制御点として認識し、例えば制御点Ｐ１を最初の始点として、隣接する４個の制御点を制御点列Ｐ１〜Ｐ４、Ｐ４〜Ｐ７、Ｐ７〜Ｐ１０、Ｐ１０〜Ｐ１２として順次選択する。
【０１０４】
この場合、紋様特徴量抽出部１３は、各制御点列Ｐ１〜Ｐ４、Ｐ４〜Ｐ７、Ｐ７〜Ｐ１０、Ｐ１０〜Ｐ１２の終点（制御点Ｐ４、Ｐ７、Ｐ１０）を次の制御点列の始点（制御点Ｐ４、Ｐ７、Ｐ１０）として選択するようになされており、また最後の制御点列Ｐ１０〜Ｐ１２では３個の制御点をそのまま制御点列として選択するようになされている。
【０１０５】
ここで、これら制御点列Ｐ１〜Ｐ４、Ｐ４〜Ｐ７、Ｐ７〜Ｐ１０、Ｐ１０〜Ｐ１２をそのまま白ダマＷＤ１についての制御点列として決定した場合、当該制御点列Ｐ１〜Ｐ１２から生成されるベジエ曲線は、白ダマＷＤ１の外周よりもそれぞれ内側又は外側となるため、実際の白ダマＷＤ１とは極端に異なるダマとして得られてしまうことになる。
【０１０６】
そこでこの実施の形態の場合、紋様特徴量抽出部１３は、各制御点列Ｐ１〜Ｐ４、Ｐ４〜Ｐ７、Ｐ７〜Ｐ１０における始点及び終点間の制御点（以下、これを中間制御点と呼ぶ）Ｐ２及びＰ３、Ｐ５及びＰ６、Ｐ８及びＰ９と、最後の制御点列Ｐ１０〜Ｐ１２及び最初の制御点列Ｐ１〜Ｐ４における始点（Ｐ１０、Ｐ１）間の制御点（以下、これも中間制御点と呼ぶ）Ｐ１１及びＰ１２とを白ダマＷＤ１の外周よりも内側又は外側にずらすようになされている。
【０１０７】
具体的に紋様特徴量抽出部１３は、中間制御点Ｐ２及びＰ３を点対称の中心とした場合に、当該中間制御点Ｐ２及びＰ３からの線分Ｐ１−Ｐ４に対する垂線と線分Ｐ１−Ｐ４との交点Ｑ２及びＱ３に対応する点Ｃ２及びＣ３を検出し、当該検出した点Ｃ２及びＣ３と制御点Ｐ１及びＰ４とを制御点列Ｐ１−Ｃ２−Ｃ３−Ｐ４として決定する。
【０１０８】
そして紋様特徴量抽出部１３は、他の中間制御点Ｐ５及びＰ６、Ｐ８及びＰ９、Ｐ１１及びＰ１２についても、中間制御点Ｐ２及びＰ３と同様にして点Ｃ５及びＣ６、Ｃ８及びＣ９、Ｃ１１及びＣ１２をそれぞれ検出し、当該点Ｃ５及びＣ６、Ｃ８及びＣ９、Ｃ１１及びＣ１２と、対応する制御点Ｐ４及びＰ７、Ｐ７及びＰ１０、Ｐ１０及びＰ１２とを制御点列Ｐ４−Ｃ５−Ｃ６−Ｐ７、Ｐ７−Ｃ８−Ｃ９−Ｐ１０、Ｐ１０−Ｃ１１−Ｃ１２としてそれぞれ決定する。
【０１０９】
従って、紋様特徴量抽出部１３は、白ダマＷＤ１についての制御点列Ｐ１−Ｃ２−Ｃ３−Ｐ４、Ｐ４−Ｃ５−Ｃ６−Ｐ７、Ｐ７−Ｃ８−Ｃ９−Ｐ１０、Ｐ１０−Ｃ１１−Ｃ１２をそれぞれ決定するようになされている。
【０１１０】
このように紋様特徴量抽出部１３は、選択した制御点列（Ｐ１〜Ｐ４、Ｐ４〜Ｐ７、Ｐ７〜Ｐ１０、Ｐ１０〜Ｐ１２）のうち、当該制御点列における中間制御点（Ｐ２及びＰ３、Ｐ５及びＰ６、Ｐ８及びＰ９、Ｐ１１及びＰ１２）を白ダマＷＤ１の外周よりも内側又は外側にずらすことにより、実際の白ダマＷＤ１により一層近似するダマを生成するための制御点列（Ｐ１−Ｃ２−Ｃ３−Ｐ４、Ｐ４−Ｃ５−Ｃ６−Ｐ７、Ｐ７−Ｃ８−Ｃ９−Ｐ１０、Ｐ１０−Ｃ１１−Ｃ１２）を紋様特徴量として抽出することができるようになされている。
【０１１１】
また紋様特徴量抽出部１３は、白ダマＷＤ２〜ＷＤｎ及び、領域区割部１２から供給される黒ダマデータＤ１４の各黒ダマＢＤ（ＢＤ１〜ＢＤｎ）についても、白ダマＷＤ１の場合と同様にして３次のベジエ曲線を生成するための制御点列をそれぞれ決定するようになされている。
【０１１２】
そして紋様特徴量抽出部１３は、このようにして決定した白ダマＷＤ（ＷＤ１〜ＷＤｎ）及び黒ダマＢＤ（ＢＤ１〜ＢＤｎ）それぞれの制御点列を、第２の紋様特徴量ＭＰ２のデータ（以下、これを第２の紋様特徴量データと呼ぶ）Ｄ１５（図７）として生成し、これを２次元コード変換部１４に送出する。
【０１１３】
このようにして紋様特徴量抽出部１３は、白ダマＷＤ及び黒ダマＢＤそれぞれの特徴量を精密かつ厳格に抽出するために、当該各白ダマＷＤ（ＷＤ１〜ＷＤｎ）及び各黒ダマＢＤ（ＢＤ１〜ＢＤｎ）それぞれについて、ダマ外周点に基づいてベジエ曲線(bezier curve)を生成するための点（以下、これを制御点と呼ぶ）列を決定させる手法（以下、これを第２の抽出手法と呼ぶ）に基づいて第２の紋様特徴量ＭＰ２を抽出するようになされている。
【０１１４】
一方、紋様特徴量抽出部１３は、第１の検証モードである場合には、コード付紋様画像ＭＧＸに基づく各白ダマＷＤ（ＷＤ１〜ＷＤｎ）及び各黒ダマＢＤ（ＢＤ１〜ＢＤｎ）における形状の特徴量を、上述の第１の抽出手法と同様の処理を施すことによってそれぞれ算出するようにして、第１の照合用紋様特徴量ＭＰＣ１のデータ（以下、これを第１の照合用紋様特徴量データと呼ぶ）Ｄ１８（図７）として生成し、これを照合部１５に送出するようになされている。
【０１１５】
（３−１−５）２次元コード変換処理
２次元コード変換部１４は、第１の紋様特徴量ＭＰ１を第１の紋様コードＢＣ１（図２）としてオリジナル印画紙ＯＰに記憶させると共に、第２の紋様特徴量ＭＰ２を第２の紋様コードＢＣ２（図２）として第１の紋様コードＢＣ１と対応付けられた状態で紋様コード格納部６に登録させる。
【０１１６】
具体的に２次元コード変換部１４は、供給される第１の紋様パターンデータＤ１６の紋様特徴量（各白ダマＷＤ及び各黒ダマＢＤそれぞれの矩形情報値）の小数点以下を切り捨て、この結果得られた紋様特徴量に対して、メモリに記憶されたコード文字列情報に基づく２次元バーコード変換処理を施すことにより第１の紋様コードデータＤ２を生成し、これを所定のタイミングでプリンタ部５に送出する。
【０１１７】
この結果、この第１の紋様コードデータＤ２は、プリンタ部５において、印画紙台にセットされた印画紙（オリジナル印画紙ＯＰ）の所定位置に第１の紋様コードＢＣ１（図２）として印画され、当該オリジナル印画紙ＯＰ（図２）に記録されることとなる。
【０１１８】
また、２次元コード変換部１４は、供給される第２の紋様パターンデータＤ１７の制御点列（各白ダマＷＤ及び各黒ダマＢＤそれぞれの制御点列）の小数点以下を切り捨て、この結果得られたデータに対して、メモリに記憶されたコード文字列情報に基づく２次元バーコード変換処理を施すことにより第２の紋様コードデータＤ３を生成し、これを第１の紋様コードデータＤ２と対応付けた状態で、所定のタイミングで紋様コード格納部６に送出する。
【０１１９】
この結果、この第１の紋様コードデータＤ２及び第２の紋様コードデータＤ３は、紋様コード格納部６の所定位置に第１の紋様コードＢＣ１及び第２の紋様コードＢＣ２として対応付けられた状態で登録されることとなる。
【０１２０】
（３−１−６）照合処理
照合部１５は、第１の検証モード時には、図３に示したように、コード付印画紙ＸＰｃから抽出された第１の照合用紋様特徴量ＭＰＣ１と、オリジナル印画紙ＯＰに記憶された第１の紋様コードＢＣ１に基づいて復元された第１の復元紋様特徴量ＭＰＲ１とを照合する。
【０１２１】
実際上、照合部１５は、紋様特徴量抽出部１３から供給される第１の照合用紋様特徴量データＤ１８の第１の照合用紋様特徴量ＭＰＣ１（矩形情報値）によって表される白ダマＷＤ及び黒ダマＢＤ（以下、これを照合用ダマと呼ぶ）それぞれを、スキャナ部４から与えられる第１の紋様コードデータＤ２に基づく第１の復元紋様特徴量ＭＧＲ１（矩形情報値）によって表される白ダマＷＤ及び黒ダマＢＤ（以下、これを復元ダマと呼ぶ）と順次照合する。
【０１２２】
ここで照合部１５による具体的な照合処理を図１４を用いて説明するが、説明の便宜上、ここではある１つの照合用ダマと、復元ダマとの照合処理について説明する。
【０１２３】
この図１４は、矩形情報値（中心座標（ｘｃ,ｙｃ）、長辺ｌ、短辺ｗ及び長辺ｌと水平軸とのなす角度θ）によって表される矩形の位置関係を示したものであり、Ｒｒは復元ダマの矩形（破線）、Ｓｒは復元ダマの長辺ｌ及び短辺ｗによって表される面積、ｇｒは復元ダマの中心座標（ｘｃ,ｙｃ）によって表される中心、Ｒは照合ダマの矩形（実線）、Ｓは照合ダマの長辺ｌ及び短辺ｗによって表される面積、ｇは照合用ダマの中心座標（ｘｃ,ｙｃ）によって表される中心をそれぞれ示したものである。
【０１２４】
またｄは、次式
【０１２５】
【数５】
2006340216.tif 000007
【０１２６】
に従って算出される復元ダマ及び照合用ダマの中心ｇｒ、ｇ間における距離（以下、これを中心間距離と呼ぶ）を示し、θ´は、復元ダマにおける長辺ｌと水平軸とのなす角度θと照合用ダマにおける長辺ｌと水平軸とのなす角度θとの差、即ち矩形Ｒｒ及び矩形Ｒ間における傾きの差（以下、これを矩形間傾き差と呼ぶ）を示し、図中の楕円は、照合用ダマを示したものである。
【０１２７】
この図１４において、照合部１５は、復元ダマ及び照合用ダマ双方の矩形情報値に基づいて、復元ダマの中心ｇｒが照合用ダマの矩形Ｒ内に存在し、かつ照合用ダマの中心ｇが復元ダマの矩形Ｒｒ内に存在するか否かを判断する。
【０１２８】
そして照合部１５は、双方の中心ｇｒ、ｇが互いの矩形Ｒ、Ｒｒ内に存在する場合には、中心間距離ｄ、矩形間傾き差θ´及び復元ダマの面積Ｓｒと照合用ダマの面積Ｓとの差（以下、これをダマ面積差と呼ぶ）がそれぞれ所定の閾値以下であるか否かを順次判断する。
【０１２９】
ここで照合部１５は、いずれも閾値以下であった場合には、復元ダマと照合用ダマとは同一のダマであると判断し、これに対していずれか１つでも閾値以上であった場合には、復元ダマと照合用ダマとは同一のダマではないと判断するようになされている。
【０１３０】
但し、図１４との対応部分に同一符号を付した図１５に示すように、復元ダマ及び照合用ダマ双方の矩形Ｒｒ、Ｒがともに正方形に近い場合、矩形間傾き差θ´が略９０度となるため、同一のダマであるにも係わらず異なるダマであると判断されるといった事態が起こり得る。
【０１３１】
従って、照合部１５は、かかる誤判断を防止する対処策として、復元ダマの長辺ｌｒと短辺ｗｒとの比及び照合用ダマの長辺ｌと短辺ｗとの比がともに「１」に近い場合には、矩形間傾き差θｒ−θ（即ち、図１４におけるθ´）が閾値以上であっても、ダマ面積差が閾値以下であれば、復元ダマと照合用ダマとが同一のダマであると判断するようになされている。
【０１３２】
このようにして照合部１５は、コード付印画紙ＸＰｃ（図２（Ｂ））から抽出された第１の照合用紋様特徴量ＭＰＣ１（矩形情報値）によって表される各照合用ダマと、オリジナル印画紙ＯＰに記憶された第１の紋様コードＢＣ１に基づく第１の紋様特徴量（矩形情報値）によって表される各復元ダマとを照合するようになされている。
【０１３３】
そして照合部１５は、この照合結果として所定の合致率よりも高い合致率が得られた場合にのみ、コード付紋様画像ＭＧＸに対応するコード付印画紙ＸＰｃが正当なオリジナル印画紙ＯＰであると判断し、例えば当該コード付印画紙ＸＰｃがオリジナル印画紙ＯＰである、すなわち原本であることを保証する旨を所定の表示部（図示せず）等を介して通知するようになされている。
【０１３４】
また、照合部１５は、第２の検証モード時には、図４に示したように、コード付印画紙ＸＰｃから抽出された第２の照合用紋様特徴量ＭＰＣ２と、オリジナル印画紙ＯＰに記憶された第１の紋様コードＢＣ１と対応付けられている第２の紋様コードＢＣ２に基づいて復元された第２の復元紋様特徴量ＭＰＲ２とを照合する。
【０１３５】
具体的に、照合部１５は、供給される第１の紋様コードＢＣ１を紋様コード格納部６において検索することにより当該第１の紋様コードＢＣ１に対応付けられている第２の紋様コードＢＣ２を検出して、第２の紋様コードデータＤ１９を当該照合部１５に読み出させる。
【０１３６】
また、照合部１５は、かかる第２の紋様コードデータＤ３の第２の紋様コードＢＣ２に対して逆２次元コード変換処理を施すことにより第２の復元紋様特徴量ＭＰＲ２を復元し、当該第２の復元紋様特徴量ＭＰＲ２の制御点列に基づいて、元の白ダマＷＤに相当する白ダマ（以下、これを復元白ダマと呼ぶ）及び元の黒ダマＢＤに相当する黒ダマ（以下、これを復元黒ダマと呼ぶ）をそれぞれ生成する。
【０１３７】
ここで、かかる復元白ダマ及び復元黒ダマの再構成手法を具体的に説明するが、説明の便宜上、ここでは図１３で説明した白ダマＷＤ１に相当する復元白ダマを復元する場合を説明する。
【０１３８】
図１６に示すように、照合部１５は、紋様特徴量抽出部１３により抽出された白ダマＷＤ１（図１６において破線で囲まれた斜線領域）についての制御点列Ｐ１−Ｃ２−Ｃ３−Ｐ４、Ｐ４−Ｃ５−Ｃ６−Ｐ７、Ｐ７−Ｃ８−Ｃ９−Ｐ１０、Ｐ１０−Ｃ１１−Ｃ１２から、次式
【０１３９】
【数６】
2006340216.tif 000008
【０１４０】
に従って対応するベジエ曲線Ｂｃ１、Ｂｃ２、Ｂｃ３、Ｂｃ４をそれぞれ生成する。なおこの（６）式における「ＣＰ」は制御点であり、「Ｂｎｉ(t)」はBernstein関数と呼ばれ、次式
【０１４１】
【数７】
2006340216.tif 000009
【０１４２】
により定義されるものである。
【０１４３】
そして照合部１５は、図１７に示すように、ベジエ曲線Ｂｃ１、Ｂｃ２、Ｂｃ３、Ｂｃ４によって囲まれる領域を、所定の単一輝度値で塗りつぶすことにより復元白ダマを生成する。
【０１４４】
このようにして照合部１５は、白ダマＷＤ１に相当する復元白ダマを生成するようになされている。
【０１４５】
また照合部１６は、白ダマＷＤ１の場合と同様にして、第２の復元紋様特徴量ＭＧＲ２における白ダマＷＤ２〜ＷＤｎについての制御点列に基づいて、当該白ダマＷＤ２〜ＷＤｎに相当する復元白ダマを生成すると共に、当該第２の復元紋様特徴量ＭＧＲ２における黒ダマＢＤ（ＢＤ１〜ＢＤｎ）についての制御点列に基づいて、当該黒ダマＢＤに相当する復元黒ダマを生成するようになされている。
【０１４６】
そして照合部１５は、このようにして生成した復元白ダマと、このとき領域区割部１３から供給される第２の照合用紋様特徴量データＤ１６の第２の照合用特徴量ＭＰＣ２における白ダマＷＤ（ＷＤ１〜ＷＤｎ）との間、及び復元黒ダマと、このとき領域区割部１３から供給される第２の照合用紋様特徴量データＤ１６の第２の照合用特徴量ＭＰＣ２における黒ダマＢＤ（ＢＤ１〜ＢＤｎ）との間における位相限定相関値Ｃｐｏｃを、当該復元白ダマ及び復元黒ダマの画素をＲ(x,y)、当該白ダマＷＤ及び黒ダマＢＤの画素をＤ(x,y)、２次元フーリエ変換をＦ、２次元逆フーリエ変換をＦ−１とすると、次式
【０１４７】
【数８】
2006340216.tif 000010
【０１４８】
に従って算出する。
【０１４９】
ここで、照合部１５は、所定の閾値以下の位相限定相関値Ｃｐｏｃが得られた場合には、このときスキャナ部４の載置台に載置されたコード付印画紙ＸＰｃ（図４）が複製されたものであると判断し、例えば当該コード付印画紙ＸＰｃがオリジナル印画紙ＯＰである、すなわち原本であることを否定する旨を所定の表示部（図示せず）等を介して通知するようになされている。
【０１５０】
これに対して照合部１５は、所定の閾値よりも高い位相限定相関値Ｃｐｏｃが得られた場合には、このときスキャナ部４の載置台に載置されたコード付印画紙ＸＰｃ（図４）が正当なオリジナル印画紙ＯＰであると判断し、例えば当該コード付印画紙ＸＰｃがオリジナル印画紙ＯＰである、すなわち原本であることを保証する旨を所定の表示部（図示せず）等を介して通知するようになされている。
【０１５１】
（３−２）第２の実施の形態における制御部での処理
ここで、かかる第２の実施の形態における制御部２におけるコード印画登録モード、第１の検証モード及び第２の検証モード時の処理内容を機能的に分類すると、図１８に示すように、低域周波数成分抽出部２０と、画像分離部２１と、領域区割部２２と、紋様特徴量抽出部２３と、２次元コード変換部２４と、照合部２５とに分けることができる。
【０１５２】
この場合、制御部２は、コード印画登録モード時には、スキャナ部４から与えられる紋様画像データＤ１に対して、低域周波数成分抽出部２０、画像分離部２１、領域区割部２２、紋様特徴量抽出部２３及び２次元コード変換部２４を順次介して各種処理を施し、この結果得られる第１の紋様コードデータＤ２をプリンタ部５に送出すると共に、第１の紋様コードデータＤ２及び第２の紋様コードデータＤ３を対応付けた状態で紋様コード格納部６に送出する。
【０１５３】
また制御部２は、第１の検証モード時には、スキャナ部４から与えられるコード付紋様画像データＤ４に対して、低域周波数成分抽出部２０、画像分離部２１、領域区割部２２及び紋様特徴量抽出部２３を順次介して各種処理を施した後、この処理結果と、スキャナ部４から与えられる第１の紋様コードデータＤ２とに基づく照合処理を照合部１５において行うようになされている。
【０１５４】
さらに制御部２は、第２の検証モード時には、スキャナ部４から与えられるコード付紋様画像データＤ４に対して、低域周波数成分抽出部２０、画像分離部２１、領域区割部２２及び紋様特徴量抽出部２３を順次介して各種処理を施した後、この処理結果と、紋様コード格納部６から与えられる第２の紋様コードデータＤ３とに基づく照合処理を照合部１５において行うようになされている。
【０１５５】
以下、低域周波数成分抽出部２０による低域周波数成分抽出処理、画像分離部２１による画像分離処理、領域区割部２２による画像区割処理、紋様パターン抽出部２３による紋様パターン抽出処理、２次元コード変換部２４による２次元コード変換処理及び照合部２５による照合処理を詳細に説明する。
【０１５６】
（３−２−１）低域周波数成分抽出処理
低域周波数成分抽出部２０は、コード印画登録モード時には、図１９に示すように、例えばオリジナル印画紙ＯＰ（図２）における紋様画像ＭＧ（図１９（Ａ））から、低域周波数成分の紋様画像（以下、これを第１の低域紋様画像と呼ぶ）ＭＧＬ１（図１９（Ｂ））を抽出するようになされている。
【０１５７】
具体的に低域周波数成分抽出部２０は、内部メモリに記憶された領域位置情報に基づいて、スキャナ部４から与えられる紋様画像データＤ１における紋様画像ＭＧに対してフーリエ変換処理を施すことにより周波数成分のデータを生成する。
【０１５８】
続いて低域周波数成分抽出部２０は、この周波数成分のデータに対して所定閾値以上の高周波成分のデータ値を「０」とした後に逆フーリエ変換処理を施すことにより、第１の低域紋様画像ＭＧＬ１のデータ（以下、これ第１の低域紋様画像データと呼ぶ）Ｄ３０（図１８）を生成する。
【０１５９】
そして低域周波数成分抽出部２０は、このとき生成された第１の低域紋様画像データＤ３０を紋様特徴量抽出部２１に送出するようになされている。
【０１６０】
また、低域周波数成分抽出部２０は、コード印画登録モード時には、紋様画像ＭＧ（図１９（Ａ））から、上述の第１の低域紋様画像ＭＧＬ１に比して詳細に紋様画像の特徴を表している低域周波数成分の紋様画像（以下、これを第２の低域紋様画像と呼ぶ）ＭＧＬ２（図１９（Ｃ））を抽出するようになされている。
【０１６１】
具体的に低域周波数成分抽出部２０は、内部メモリに記憶された領域位置情報に基づいて、スキャナ部４から与えられる紋様画像データＤ１における紋様画像ＭＧに対してフーリエ変換処理を施すことにより周波数成分のデータを生成する。
【０１６２】
続いて低域周波数成分抽出部２０は、この周波数成分のデータに対して上述の第１の低域紋様画像ＭＧＬ１に比して高周波数成分でなる閾値以上のデータ値を「０」とした後に逆フーリエ変換処理を施すことにより、第２の低域紋様画像ＭＧＬ２のデータ（以下、これ第２の低域紋様画像データと呼ぶ）Ｄ３１（図１８）を生成する。
【０１６３】
そして低域周波数成分抽出部２０は、このとき生成された第２の低域紋様画像データＤ３１を紋様特徴量抽出部２１に送出するようになされている。
【０１６４】
他方、低域周波数成分抽出部２０は、第１の検証モード時には、コード付印画紙ＸＰｃ（図３）におけるコード付紋様画像ＭＧＸ（図１９（Ａ））から、低域周波数成分の紋様画像（以下、これを第１のコード付低域紋様画像と呼ぶ）ＭＧＸＬ１（図１９（Ｂ））を抽出するようになされている。
【０１６５】
具体的に低域周波数成分抽出部２０は、内部メモリに記憶された領域位置情報に基づいて、スキャナ部４から与えられるコード付紋様画像データＤ４におけるコード付紋様画像ＭＧＸに対して、上述の第１の低域紋様画像ＭＧＬ１における場合と同様のフーリエ変換処理及び逆フーリエ変換処理を施すことにより抽出されたコード付低域紋様画像ＭＧＸＬ１のデータ（以下、これを第１のコード付低域紋様画像データと呼ぶ）Ｄ３２を生成する。
【０１６６】
そして低域周波数成分抽出部２０は、このとき生成された第１のコード付低域紋様画像Ｄ３２を紋様画像合成部２１に送出するようになされている。
【０１６７】
他方、低域周波数成分抽出部２０は、第２の検証モード時には、コード付紋様画像ＭＧＸ（図１９（Ａ））から、上述の第１のコード付低域紋様画像ＭＧＸＬ１に比して詳細に紋様画像の特徴を表している低域周波数成分の紋様画像（以下、これを第２のコード付低域紋様画像データと呼ぶ）ＭＧＸＬ２（図１９（Ｃ））を抽出するようになされている。
【０１６８】
具体的に低域周波数成分抽出部２０は、内部メモリに記憶された領域位置情報に基づいて、スキャナ部４から与えられるコード付紋様画像データＤ４におけるコード付紋様画像ＭＧＸに対して、上述の第２の低域紋様画像ＭＧＬ２における場合と同様のフーリエ変換処理及び逆フーリエ変換処理を施すことにより抽出されたコード付低域紋様画像ＭＧＸＬ２のデータ（以下、これを第２のコード付低域紋様画像データと呼ぶ）Ｄ３３を生成する。
【０１６９】
そして低域周波数成分抽出部２０は、このとき生成された第２のコード付低域紋様画像Ｄ３３を紋様画像合成部２１に送出するようになされている。
【０１７０】
（３−２−２）画像分離処理
画像分離部２１は、低域周波数成分抽出部１０において抽出された第１の低域紋様画像ＭＧＬ１、第１の低域紋様画像ＭＧＬ２、コード付低域紋様画像ＭＧＸＬ２又はコード付低域紋様画像ＭＧＸＬ２に対して、上述の第１の実施の形態における画像分離処理と同様の処理を施すことにより、白成分紋様画像ＭＧＷと、黒成分紋様画像ＭＧＢとに分離し、これを白成分紋様画像データＤ３４及び黒成分紋様画像データＤ３５として領域区割部２２に送出する。
【０１７１】
（３−２−３）領域区割処理
領域区割部２２は、上述の第１の実施の形態における領域区割処理と同様の処理を施すことにより、白成分紋様画像ＭＧＷに有する紋様を複数の白ダマＷＤ（ＷＤ１〜ＷＤｎ）に区割りすると共に、黒成分紋様画像ＭＧＢに有する紋様を複数の黒ダマＢＤ（ＢＤ１〜ＢＤｎ）に区割し、これを白ダマデータＤ３６及び黒ダマデータＤ３７として紋様特徴量抽出部２３に送出する。
【０１７２】
（３−２−４）紋様特徴量抽出処理
紋様特徴量抽出部２３は、コード印画登録モード時には、第１の低域紋様画像ＭＧＬ１に基づく各白ダマＷＤ（ＷＤ１〜ＷＤｎ）及び各黒ダマＢＤ（ＢＤ１〜ＢＤｎ）における形状の特徴量を、上述の第１の実施の形態における第１の抽出手法と同様の処理を施すことによりそれぞれ算出するようにして、第１の紋様特徴量データＤ３８（図１８）を生成し、これを２次元コード変換部２４に送出するようになされている。
【０１７３】
また、紋様特徴量抽出部２３は、コード印画登録モード時には、第２の低域紋様画像ＭＧＬ２に基づく各白ダマＷＤ（ＷＤ１〜ＷＤｎ）及び各黒ダマＢＤ（ＢＤ１〜ＢＤｎ）における形状の特徴量を、上述の第１の実施の形態における第１の抽出手法と同様の処理を施すことによりそれぞれ算出するようにして、第２の紋様特徴量データＤ３９（図１８）を生成し、これを２次元コード変換部２４に送出するようになされている。
【０１７４】
一方、紋様特徴量抽出部２３は、第１の検証モードである場合には、第１のコード付低域紋様画像ＭＧＸＬ１に基づく各白ダマＷＤ（ＷＤ１〜ＷＤｎ）及び各黒ダマＢＤ（ＢＤ１〜ＢＤｎ）における形状の特徴量を、上述の第１の実施の形態における第１の抽出手法と同様の処理を施すことによりそれぞれ算出するようにして、第１の照合用紋様特徴量データ）Ｄ４０（図１８）として生成し、これを照合部２５に送出するようになされている。
【０１７５】
他方、紋様特徴量抽出部２３は、第２の検証モードである場合には、第２のコード付低域紋様画像ＭＧＸＬ２に基づく各白ダマＷＤ（ＷＤ１〜ＷＤｎ）及び各黒ダマＢＤ（ＢＤ１〜ＢＤｎ）における形状の特徴量を、上述の第１の実施の形態における第１の抽出手法と同様の処理を施すことによりそれぞれ算出するようにして、第２の照合用紋様特徴量データ）Ｄ４１（図１８）として生成し、これを照合部２５に送出するようになされている。
【０１７６】
（３−２−５）２次元コード変換処理
２次元コード変換部２４は、上述の第１の実施の形態における２次元コード変換処理と同様の処理を施すことにより、第１の紋様特徴量ＭＰ１を第１の紋様コードＢＣ１（図２）としてオリジナル印画紙ＯＰに記憶させると共に、第２の紋様特徴量ＭＰ２を第２の紋様コードＢＣ２（図２）として第１の紋様コードＢＣ１と対応付けられた状態で紋様コード格納部６に登録させるようになされている。
【０１７７】
（３−２−６）照合処理
照合部２５は、簡易性又は迅速性が第１に優先されるような場合には、コード付印画紙ＸＰｃ（図２（Ｂ））から抽出された第１の照合用紋様特徴量ＭＰＣ１（矩形情報値）によって表される各照合用ダマと、オリジナル印画紙ＯＰの第１に記憶された第１の紋様コードＢＣ１に基づく第１の復元紋様特徴量ＭＰＲ１（矩形情報値）によって表される各復元ダマとを照合し、照合結果として所定の合致率よりも高い合致率が得られた場合にのみ、コード付紋様画像ＭＧＸに対応するコード付印画紙ＸＰｃが正当なオリジナル印画紙ＯＰであると判断し、コード付印画紙ＸＰｃが原本であることを保証するようになされている。
【０１７８】
また、照合部２５は、公証性が第１に優先されるような場合には、コード付印画紙ＸＰｃ（図３）から抽出された第１の照合用紋様特徴量ＭＰＣ１（矩形情報値）によって表される各照合用ダマと、オリジナル印画紙ＯＰの第１に記憶された第１の紋様コードＢＣ１に基づく第１の復元紋様特徴量ＭＰＲ１（矩形情報値）によって表される各復元ダマとを照合し、照合結果として所定の合致率よりも高い合致率が得られた場合にのみ、コード付紋様画像ＭＧＸに対応するコード付印画紙ＸＰｃが正当なオリジナル印画紙ＯＰであると判断し、コード付印画紙ＸＰｃが原本であることを保証するようになされている。
【０１７９】
（４）本実施の形態における原本保証装置の使用例
次に、本実施の形態における原本保証装置１の使用例について説明する。
【０１８０】
この場合、原本保証装置１では、印画内容が印画された印画紙として、小切手を使用する。そして、原本保証装置１では、図２０に示すように、原本保証装置１のうち、第１の検証モード及び当該第１の検証モードを実行するために必要なハードウェアを搭載した装置（以下、これを第１の装置と呼ぶ）と、コード印画登録モード及び第２の検証モード並びにこれらのモードを実行するために必要なハードウェア、紋様コード格納部６を搭載した装置（以下、これを第２の装置と呼ぶ）に分離して適用させた場合により望ましい形態となる。
【０１８１】
実際上、第２の装置ＥＱ２は、例えば銀行等に設置されるようになされており、小切手ＣＨの指定領域ＡＲに有する紋様の紋様画像ＭＧから、第１の紋様特徴量ＭＰ１を抽出すると共に、当該第１の紋様特徴量ＭＰ１に比して詳細な特徴量を表す第２の紋様特徴量ＭＰ２を抽出し、第１の紋様特徴量ＭＰ１を第１の紋様コードＢＣ１として小切手ＣＨに印画する一方、第２の紋様特徴量ＭＰ２を第２の紋様コードＢＣ２として、第１の紋様コードＢＣ１と対応付けて紋様コード格納部６に登録する。
【０１８２】
そして、第１の装置ＥＱ１は、例えば会社や家庭等に設置されるようになされており、例えば小切手ＣＨが当該小切手ＣＨを振り出されるような場合や、その後この小切手ＣＨが流通するような場合、すなわち簡易性又は迅速性が第１に優先されるような場合には、第１の照合用紋様特徴量ＭＰＣ１と、第１の復元紋様特徴量ＭＰＲ１とを照合することによって、コード付印画紙ＸＰｃが原本と異なっていることを簡易かつ迅速に検証することができる。
【０１８３】
また、第２の装置ＥＱ２は、例えば振り出された小切手ＣＨに基づいて現金と交換するような場合、すなわち公証性が第１に優先されるような場合には、第１の紋様特徴量ＭＰ１に比して詳細な特徴量を表す第２の紋様特徴量ＭＰ２を抽出するため、第２の照合用紋様特徴量ＭＰＣ２と、第２の復元紋様特徴量ＭＰＲ２とを照合することによって、第２の照合用紋様特徴量ＭＰＣ２と、第２の復元紋様特徴量ＭＰＲ２とを精密かつ厳格に検証することができる。
【０１８４】
なお、原本保証装置１では、第１の装置ＥＱ１及び第２の装置ＥＱ２に分離せずに、そのまま使用することもできるようになされている。
【０１８５】
また、図２１に示すように、第２の装置ＥＱ２から紋様コード格納部６を分離してサーバ装置ＥＱ３として使用するようにすれば、複数の第１の装置ＥＱ１、複数の第２の装置ＥＱ２及びサーバ装置ＥＱ３からなる、図２０によりも大規模なシステムを構築することができるようになされている。
【０１８６】
（５）本実施の形態による動作及び効果
以上の構成において、この原本保証装置１では、オリジナル印画紙ＯＰの指定領域ＡＲに有する紋様の紋様画像ＭＧから、第１の紋様特徴量ＭＰ１を抽出すると共に、当該第１の紋様特徴量ＭＰ１に比して詳細な特徴量を表す第２の紋様特徴量ＭＰ２を抽出し、第１の紋様特徴量ＭＰ１を第１の紋様コードＢＣ１としてオリジナル印画紙ＯＰに印画する一方、第２の紋様特徴量ＭＰ２を第２の紋様コードＢＣ２として、第１の紋様コードＢＣ１と対応付けて登録する。
【０１８７】
従って、簡易性又は迅速性が第１に優先されるような場合には、第１の照合用紋様特徴量ＭＰＣ１と、第１の復元紋様特徴量ＭＰＲ１とを照合することによって、コード付印画紙ＸＰｃが原本と異なっていることを簡易かつ迅速に検証することができ、公証性が第１に優先されるような場合には、第１の紋様特徴量ＭＰ１に比して詳細な特徴量を表す第２の紋様特徴量ＭＰ２を抽出するため、第２の照合用紋様特徴量ＭＰＣ２と、第２の復元紋様特徴量ＭＰＲ２とを照合することによって、第２の照合用紋様特徴量ＭＰＣ２と、第２の復元紋様特徴量ＭＰＲ２とを精密かつ厳格に検証することができる。
【０１８８】
以上の構成によれば、オリジナル印画紙ＯＰの指定領域ＡＲに有する紋様の紋様画像ＭＧから、第１の紋様特徴量ＭＰ１を抽出すると共に、当該第１の紋様特徴量ＭＰ１に比して詳細な特徴量を表す第２の紋様特徴量ＭＰ２を抽出し、第１の紋様特徴量ＭＰ１を第１の紋様コードＢＣ１としてオリジナル印画紙ＯＰに印画する一方、第２の紋様特徴量ＭＰ２を第２の紋様コードＢＣ２として、第１の紋様コードＢＣ１と対応付けて登録することにより、簡易性又は迅速性が第１に優先されるような場合には、第１の照合用紋様特徴量ＭＰＣ１と、第１の復元紋様特徴量ＭＰＲ１とを照合することによって、コード付印画紙ＸＰｃが原本と異なっていることを簡易かつ迅速に検証することができ、公証性が第１に優先されるような場合には、第１の紋様特徴量ＭＰ１に比して詳細な特徴量を表す第２の紋様特徴量ＭＰ２を抽出するため、第２の照合用紋様特徴量ＭＰＣ２と、第２の復元紋様特徴量ＭＰＲ２とを照合することによって、第２の照合用紋様特徴量ＭＰＣ２と、第２の復元紋様特徴量ＭＰＲ２とを精密かつ厳格に検証することができ、かくしてオリジナル印画紙ＯＰに印画された印画内容を適切に保護することができる。
【０１８９】
（６）他の実施の形態
なお上述の実施の形態においては、所定の内容が付された複数の紙として、文書や写真等の各種内容の印画対象として用いられ、当該印画内容が印画された印画紙を適用した場合について述べたが、本発明はこれに限らず、例えば絵画等の美術品であっても良く、またサイン等の個人における署名であっても良く、この他種々の所定の内容が付された紙であれば良い。
【０１９０】
また、上述の実施の形態においては、第１の抽出手法として白ダマＷＤ及び黒ダマＢＤそれぞれの特徴量を簡易かつ迅速に抽出するために、当該白ダマＷＤ及び黒ダマＢＤそれぞれを矩形に近似させた場合について述べたが、本発明はこれに限らず、紙に付された内容に応じて紋様画像の特徴を抽出する抽出手法を変更するようにしても良い。
【０１９１】
この場合、本実施の形態における原本保証装置１の使用例として、所定の内容が付された紙として小切手ＣＨについて適用した場合について述べたが、所定の内容が付された紙として重要度が低いと思われる書類の場合には、例えば低域紋様画像とすることを第１の抽出手法とする等の上述の矩形近似による抽出手法に比して簡易な抽出手法を第１の抽出手法とするようにしても良く、所定の内容が付された紙として重要度が高いと思われる書類の場合には、例えば円近似やだ円近似等による抽出手法等の上述の矩形近似による抽出手法に比して詳細な抽出手法を第１の抽出手法とするようにしても良い。
【０１９２】
このように紙に付された内容の重要度に応じて紋様画像の特徴を抽出する抽出手法を変更することによって、内容の重要度に応じてユーザの待ち時間を適切に調整しながら検証することができ、かくして紙に付された内容を適切に保護することができる。
【０１９３】
さらに、上述の実施の形態においては、スキャナ部４（撮像手段）により撮像された紋様画像に対して低域周波数成分処理、画像分離処理、領域区割処理及び紋様特徴量抽出処理を順次施すことにより紋様特徴量を抽出するようにした場合について述べたが、本発明はこれに限らず、必ずしも撮像しなくても良く、又はこれら処理全てを施す必要もなく、さらにはこれら処理以外の処理を加えるあるいは変更するようにしても良く、要は、紙を透過することにより得られる紋様投影光から得られる信号に基づいて特徴を取得するようにすれば良い。
【０１９４】
この場合、例えば低域周波数成分処理又は画像分離処理を実行せずに領域区割処理及び紋様特徴量抽出処理を実行するようにしたり、これとは逆に、低域周波数成分処理及び画像分離処理のみを実行し、この結果得られた白成分紋様画像ＷＩＭ（図９（Ｂ））及び黒成分紋様画像ＢＩＭ（図９（Ｃ））を紋様特徴量として抽出するようにしたり、あるいは、低域周波数成分処理のみを実行し、この結果得られた低域紋様画像ＭＧＬ（図９（Ａ））を紋様特徴量として抽出するようにしても良い。
【０１９５】
また、スキャナ部４（撮像手段）により撮像された紋様画像を例えば縦横５×５の画像領域に区割りし、当該抽出した各領域のうちの１つの領域を紋様特徴量として抽出するようにしたり、あるいは当該抽出した各領域のうちの１つの領域に有する紋様を領域区割部１３での領域区割処理と同様にして区割りした後に特徴量を抽出するようにしても良い。
【０１９６】
さらに、画像分離処理として、白成分紋様画像ＷＩＭと黒成分紋様画像ＢＩＭとに分離するようにしたが、白成分紋様画像ＷＩＭ（図９（Ｂ））又は黒成分紋様画像ＢＩＭ（図９（Ｃ））の一方のみを抽出するようにしても良い。
【０１９７】
さらに、紋様特徴量抽出処理として、白ダマＷＤ及び黒ダマＢＤそれぞれを矩形に近似させるようにしたが、これに代えて、例えば球状等、この他種々の形状に近似させるようにしても良い。
【０１９８】
さらに、紋様画像を印画紙の指定領域ＡＲ（図２）から取得するようにしたが、本発明はこれに限らず、当該印画紙における複数の指定領域から取得するようにしても良く、又は印画紙全体から取得するようにしても良い。
【０１９９】
さらに、上述の実施の形態においては、紋様特徴量を紋様コードＢＣ１（図２）として印画紙（オリジナル印画紙ＯＰ）に印画するようにした場合について述べたが、本発明はこれに限らず、例えば紋様特徴量に応じた穴や点字を印画紙に設けるようにしても良く、又は紋様特徴量を直接印画紙に記述するようにしても良い。
【０２００】
またこの場合、紋様パターン（紋様特徴量）に代えて、白成分紋様画像ＷＩＭ（図９（Ｂ））、黒成分紋様画像ＢＩＭ（図９（Ｃ））、白ダマＷＤ（ＷＤ１〜ＷＤｎ）、黒ダマＢＤ（ＢＤ１〜ＢＤｎ）又はこれらの組み合わせを直接印画紙に印画するようにしても良く、要は、上述の抽出手段により取得されたこの他種々の紋様情報を記憶することができる。
【０２０１】
さらに上述の実施の形態においては、紋様特徴量を上述した第１の抽出手法又は第２の抽出手法により照合するようにして検証した場合について述べたが、本発明はこれに限らず、これ以外の手法により照合するようにしても良い。この場合、上述の実施の形態と同様の効果を得ることができる。
【０２０２】
さらに、上述の実施の形態においては、印画紙に有する紋様を所定単位の領域に区割りする区割手段として、例えばスキャナ部４での読取結果として得られる紋様画像から低域成分紋様画像ＭＧＬ（図８（Ｂ））を抽出し、当該低域成分紋様画像ＭＧＬを白成分紋様画像ＷＩＭ（図９（Ｂ））及び黒成分紋様画像ＢＩＭ（図９（Ｃ））に分離し、当該白成分紋様画像ＷＩＭ及び黒成分紋様画像ＢＩＭに有する紋様を８近傍画素の画素を順次連結していくようにして白ダマＷＤ及び黒ダマＢＤに区割りするようにしたが、本発明はこれに限らず、必ずしも低域成分紋様画像ＭＧＬを抽出しなくても良く、また必ずしも白成分紋様画像ＷＩＭ及び黒成分紋様画像ＢＩＭに分離しなくても良く、さらには近傍画素の白画素（黒画素）を順次連結していくようにして白ダマＷＤ（黒ダマＢＤ）を区割りするようにしなくても良く、要は、スキャナ部４での読取結果として得られる紋様画像に有する紋様を所定単位の領域に区割りするこの他種々の手法を適用することができる。
【０２０３】
さらに上述の実施の形態においては、区割された各領域それぞれについて、当該領域の輪郭上の点に基づいて輪郭に近似する曲線を生成するための複数の点を決定し、これら点を紋様情報として抽出する抽出手段として、白ダマＷＤ及び黒ダマＢＤのダマ総合面積に応じて格子サイズ及びベジエ曲線の次数に切り替え、当該切り替えた格子サイズの正方格子と交わる白ダマＷＤ及び黒ダマＢＤの外周上の点に基づいてベジエ曲線を生成するための制御点列を紋様情報として抽出するようにした場合について述べたが、本発明はこれに限らず、白ダマＷＤ及び黒ダマＢＤのうち最大のダマ面積に応じて切り替えるようにしても良く、また格子サイズ及び又はベジエ曲線の次数を固定値として設定しておくようにしても良い。
【０２０４】
また正方格子と交わる点を白ダマＷＤ及び黒ダマＢＤの外周上の点としたが、本発明はこれに限らず、例えば、白ダマＷＤ及び黒ダマＢＤの外周上におけるある基準点を決定し、当該基準点を中心とした円と交わる点を白ダマＷＤ及び黒ダマＢＤの外周上の点とし、さらにこの点を中心とした円と交わる点を次の白ダマＷＤ及び黒ダマＢＤの外周上の点としていくようにしても良い。このときの円の直径又は半径を、白ダマＷＤ及び黒ダマＢＤのダマ総合面積等に応じて切り替えるようにしても良い。
【０２０５】
またベジエ曲線を生成するための制御点列を紋様情報として抽出するようにしたが、本発明はこれに限らず、有理ベジエ曲線、Ｂスプライン曲線又は有理Ｂスプライン曲線等のこの他種々の曲線を生成するための制御点列を紋様情報として抽出するようにしても良い。この場合、上述の実施の形態と同様の効果を得ることができる。
【０２０６】
さらに上述の実施の形態においては、原本防止装置として図６に示した構成を適用するようにした場合について述べたが、本発明はこれに限らず、この他種々の構成を適用することができる。
【０２０７】
この場合、図７で示した各種処理又はその一部の処理を制御部に対して実行させるプログラムを、例えばコピー機等の紙を取り扱う既存の装置あるいは新規に製造された装置にインストールするようにしても良い。
【０２０８】
また、図７で示した各種処理又はその一部の処理を制御部に対して実行させるプログラムを、ハードウェア構成とした装置に適用するようにしても良い。
【産業上の利用可能性】
【０２０９】
本発明は、紙を例えば貨幣等の商品交換媒体、証明書等の内容証明媒体又は個人の著作物等の情報記憶媒体などの各種媒体として使用する場合に利用可能である。
【図面の簡単な説明】
【０２１０】
【図１】紙の紋様を示す略線図である。
【図２】紋様特徴量を用いた関連性保証手法の説明に供する略線図である。
【図３】紋様特徴量を用いた関連性保証手法の説明に供する略線図である。
【図４】紋様特徴量を用いた関連性保証手法の説明に供する略線図である。
【図５】原本の検証の説明に供する略線図である。
【図６】本実施の形態による原本保証装置の構成を示すブロック図である。
【図７】第１の実施の形態における制御部での処理の説明に供するブロック図である。
【図８】低域周波数成分の抽出の説明に供する略線図である。
【図９】画像の分離の説明に供する略線図である。
【図１０】白ダマ（黒ダマ）の区割りの説明に供する略線図である。
【図１１】小ダマの除去（白成分紋様画像）の説明に供する略線図である。
【図１２】第１の紋様特徴量の抽出の説明に供する略線図である。
【図１３】制御点例の決定の説明に供する略線図である。
【図１４】ダマの照合の説明に供する略線図である。
【図１５】ダマの照合の説明に供する略線図である。
【図１６】ベジエ曲線の生成の説明に供する略線図である。
【図１７】再構成ダマの生成の説明に供する略線図である。
【図１８】第２の実施の形態における制御部での処理の説明に供するブロック図である。
【図１９】低域周波数成分の抽出の説明に供する略線図である。
【図２０】原本保証装置の使用例の説明に供する略線図である。
【図２１】原本保証装置の使用例の説明に供する略線図である。
【符号の説明】
【０２１１】
１……原本保証装置、２……制御部、４……スキャナ部、４ａ……コードリーダ、５……プリンタ部、６……紋様コード格納部、１０、２０……低域周波数成分抽出部、１１、２１……画像分離部、１２、２２……領域区割部、１３、２３……紋様特徴量抽出部、１４、２４……２次元コード変換部、１５、２５……照合部、Ｄ１……紋様画像データ、Ｄ２……第１の紋様コードデータ、Ｄ３……第２の紋様コードデータ、Ｄ４……コード付紋様画像データ、Ｄ５……印画内容画像データ、Ｄ１０……低域紋様画像データ、Ｄ１１……コード付低域紋様画像データ、Ｄ１２……コード付紋様画像データ、Ｄ１３……紋様パターンデータ、Ｄ１４……照合用紋様画像データ、Ｄ１５……紋様コードデータ、Ｄ１６……再構成紋様画像データ、ＯＰ……オリジナル印画紙、ＸＰｃ……コード付印画紙、ＡＲ……指定領域、ＢＣ……紋様コード、ＭＧ……紋様画像、ＭＧＸ……コード付紋様画像、ＭＧＬ……低域紋様画像、ＭＧＸＬ……コード付低域紋様画像、ＭＧＲ……復元紋様画像、ＭＧＣ……照合用紋様画像、ＭＰ……紋様特徴量、ＭＧＷ……白成分紋様画像、ＭＧＢ……黒成分紋様画像、ＷＤ（ＷＤ１〜ＷＤｎ）……白ダマ、ＢＤ（ＢＤ１〜ＢＤｎ）……黒ダマ。
【図２】
2006340216.tif 000011
【図３】
2006340216.tif 000012
【図４】
2006340216.tif 000013
【図５】
2006340216.tif 000014
【図６】
2006340216.tif 000015
【図７】
2006340216.tif 000016
【図９】
2006340216.tif 000017
【図１０】
2006340216.tif 000018
【図１１】
2006340216.tif 000019
【図１２】
2006340216.tif 000020
【図１３】
2006340216.tif 000021
【図１４】
2006340216.tif 000022
【図１５】
2006340216.tif 000023
【図１６】
2006340216.tif 000024
【図１７】
2006340216.tif 000025
【図１８】
2006340216.tif 000026
【図２０】
2006340216.tif 000027
【図２１】
2006340216.tif 000028
【図１】
2006340216.tif 000029
【図８】
2006340216.tif 000030
【図１９】
2006340216.tif 000031